(57)【要約】【課題】無線通信のためのアンテナや外部環境を計測するための計測機器などキャビネットの外側に設置する外部機器を、キャビネットへの加工を必要とせずに設置可能とすること。【解決手段】筐体２と、庇部３１を備えた屋根３と、換気用の通気孔４１を備えた通気板４と、を備え、前記通気板が庇部の下面側に配置された電気機器収納用キャビネット１であって、外部機器９１を搭載可能な支持部品６が、筐体の外側に外部機器を搭載可能な状態となるように、前記通気孔に取り付けられた構成とする。【選択図】図７
2019212853.tif 000002
【特許請求の範囲】
【請求項１】
筐体と、庇部を備えた屋根と、換気用の通気孔を備えた通気板と、を備え、前記通気板が庇部の下面側に配置された電気機器収納用キャビネットであって、外部機器を搭載可能な支持部品が、筐体の外側に外部機器を搭載可能な状態となるように、前記通気孔に取り付けられた電気機器収納用キャビネット。
【請求項２】
支持部品は、通気板の上に載せられた抜け落ち防止部と、通気孔に挿入される挿入部と、外部機器を搭載可能な支持部と、を備え、挿入部を介して抜け落ち防止部と連結された支持部が、筐体の外側に外部機器を搭載可能な状態で取り付けられた請求項１に記載の電気機器収納用キャビネット。
【請求項３】
支持部に備えた取付部と、抜け落ち防止部で通気板を挟み込んだ請求項２に記載の電気機器収納用キャビネット。
【請求項４】
外部と通信するための通信ユニットを筐体の内部に備え、前記通信ユニットと外部機器とを接続する機器接続ケーブルを、通気孔を通して配索した請求項１乃至３の何れかに記載の電気機器収納用キャビネット。
【請求項５】
機器接続ケーブルを通した通気孔の隙間に防水部材を付した請求項４に記載の電気機器収納用キャビネット。
【発明の詳細な説明】
【技術分野】
【０００１】
本発明は、電気機器収納用キャビネットに関するものである。
【背景技術】
【０００２】
屋外で使用されるキュービクル等の電気機器を収納するキャビネットの内部に設置した電気機器の動作状況、異常を確認するために周囲環境を監視し、電気機器の動作情報等を通信によって外部へ伝達する技術が知られている。この場合、通信を行うために、キャビネットの内部に通信ユニットを備えている。ところで、屋外で使用されるキャビネットは、金属製が一般的であるが、金属製のキャビネットは電波を遮蔽するため、特許文献１に記載されているように、無線通信アンテナをキャビネットの外部に設置する必要がある。そのアンテナの取付けや通信ユニットと接続するケーブルを通すために、キャビネットに穴加工を施す必要があった。また、電気機器の周囲環境を監視する際、キャビネット外部の温度や湿度等の環境情報を計測するが、外部の環境情報を計測するための計測機器を設置する際にも、キャビネットへの加工が必要であった。
【先行技術文献】
【特許文献】
【０００３】
【特許文献１】特開２００４−１２８１５２号公報
【０００４】
ところで、キャビネットへの穴加工を行うことにより、雨水がキャビネット内に浸入する虞や、加工場所の錆びの発生などのキャビネットの劣化が発生する虞があり、加工状態によっては剛性低下などの虞がある。また、既設のキャビネットに対しては、設置状態でのキャビネットへの追加加工が必要となり、監視機能の設置が困難であった。
【発明の概要】
【発明が解決しようとする課題】
【０００５】
本件の発明者は、この点について鋭意検討することにより、解決を試みた。本発明の課題は、無線通信のためのアンテナや外部環境を計測するための計測機器などキャビネットの外側に設置する外部機器を、キャビネットへの加工を必要とせずに設置可能とすることである。
【課題を解決するための手段】
【０００６】
上記課題を解決するため、筐体と、庇部を備えた屋根と、換気用の通気孔を備えた通気板と、を備え、前記通気板が庇部の下面側に配置された電気機器収納用キャビネットであって、外部機器を搭載可能な支持部品が、筐体の外側に外部機器を搭載可能な状態となるように、前記通気孔に取り付けられた電気機器収納用キャビネットとする。
【０００７】
また、支持部品は、通気板の上に載せられた抜け落ち防止部と、通気孔に挿入される挿入部と、外部機器を搭載可能な支持部と、を備え、挿入部を介して抜け落ち防止部と連結された支持部が、筐体の外側に外部機器を搭載可能な状態で取り付けられた電気機器収納用キャビネットとする。
【０００８】
また、支持部に備えた取付部と、抜け落ち防止部で通気板を挟み込んだ構成とすることが好ましい。
【０００９】
また、外部と通信するための通信ユニットを筐体の内部に備え、前記通信ユニットと外部機器とを接続する機器接続ケーブルを、通気孔を通して配索した構成とすることが好ましい。
【００１０】
また、機器接続ケーブルを通した通気孔の隙間に防水部材を付した構成とすることが好ましい。
【発明の効果】
【００１１】
本発明では、無線通信のためのアンテナや外部環境を計測するための計測機器などキャビネットの外側に設置する外部機器を、キャビネットへの加工を必要とせずに設置することが可能となる。
【図面の簡単な説明】
【００１２】
【図１】実施形態における電気機器収納用キャビネットの斜視図である。
【図２】実施形態における電気機器収納用キャビネット断面図である。
【図３】実施形態における電気機器収納用キャビネットの庇周りを下方から見た斜視図である。
【図４】外部機器を取り付けた支持部品の斜視図である。
【図５】外部機器を取り付けた支持部品の平面図である。
【図６】通気板に載せた抜け落ち防止部と、通気板に載せていない抜け落ち防止部を表した図である。
【図７】支持部品に固定された外部機器に接続された機器接続ケーブルが通気孔を通過している状態を表した図である。
【図８】外部機器と通信ユニットが機器接続ケーブルで接続されていることを表す図である。
【図９】外部機器を取り付けた支持部品の他の例を表す斜視図である。
【図１０】外部機器を取り付けた支持部品の他の例を表す斜視図である。
【発明を実施するための形態】
【００１３】
以下に発明を実施するための形態を示す。本実施形態の電気機器収納用キャビネット１は、筐体２と、庇部３１を備えた屋根３と、換気用の通気孔４１を備えた通気板４と、を備えている。この前記通気板４は庇部３１の下面側に配置されている。また、外部機器９１を搭載可能な支持部品６が、筐体２の外側に外部機器９１を搭載可能な状態となるように、通気孔４１に取り付けられている。このため、無線通信のためのアンテナや外部環境を計測するための計測機器など電気機器収納用キャビネット１の外側に設置する外部機器９１を、電気機器収納用キャビネット１への加工を必要とせずに設置することが可能となる。
【００１４】
なお、より詳しくは、電気機器収納用キャビネット１は、支持部材６が、通気板４の上に載せられた抜け落ち防止部５１と、通気孔４１に挿入される挿入部５２と、外部機器９１を搭載可能な支持部６０と、を備えている。更には、挿入部５２を介して抜け落ち防止部５１と連結された支持部６０が、筐体２の外側に外部機器９１を搭載可能な状態で取り付けられている。
【００１５】
図１乃至図３に示されていることから理解されるように、実施形態の電気機器収納用キャビネット１は、正面と側面に扉１１を備えた筐体２に対して、筐体２の上部に設けられた開口を覆う屋根３が取り付けられている。この屋根３には筐体２よりも外方に突出する庇部３１を備えている。実施形態の屋根３は、その上面がなだらかに傾斜するように構成されており、雨水などが正面側から流れ落ち難いように構成されている。図３に示すことから理解されるように、実施形態の電気機器収納用キャビネット１は、正面側に設けられた庇部３１の下面側に、複数の細長い通気孔４１を備えた通気板４を備えている。この通気板４は、通気孔４１の貫通方向が上下方向となるように配置されている。
【００１６】
実施形態の電気機器収納用キャビネット１は、外部機器９１を搭載可能な支持部品６が取り付けられている。支持部品６は様々な形態とすることができるが、図４に示す例の支持部品６は、外部機器９１を搭載可能な支持部６０として、平板を屈曲させることで形成された側面視略Ｌ字形状の部材を備えている。この支持部６０には、外部機器９１を搭載することができる搭載部６１を垂直状に立ち上がるように設けている。また、支持部６０には、搭載部６１と略９０度をなすように延びる取付部６２を備えている。この取付部６２には垂直方向に延びる挿入部５２が付されている。図４に示す挿入部５２は通気孔４１に挿入される取付ねじであり、抜け落ち防止部５１となる取付ナットと連結されている。
【００１７】
図５及び図６に示す例では、抜け落ち防止部５１は平面視で細長い形状に構成されている。この抜け落ち防止部５１は向きを整えることで、通気孔４１を通過することができる一方、向きを変えることで通気孔４１を通過することができなくなるものであるため、通気板４の下側から抜け落ち防止部５１を通気孔４１に挿入し、抜け落ち防止部５１が通気板４よりも上側に位置するようになった時点で、抜け落ち防止部５１を回転させて、抜け落ち防止部５１が通気板４の上に載せられた状態とすれば、支持部６０を通気板４に取り付けることができる。このように、通気板４の下に位置する取付部６２と通気板４の上に位置する抜け落ち防止部５１で通気板４を挟み込み、支持部６０を取り付けるようにすれば、支持部６０を容易に取り付けることができる。また、支持部６０を容易に取り外すこともできる。
【００１８】
図７に示す例では、通気板４の端部側に設けられた通気孔４１に挿入部５２を挿入して支持部品６を取り付けており、外部機器９１を電気機器収納用キャビネット１の側面側に配置するようにしている。ところで、外部機器９１は筐体２内の機器と機器接続ケーブル９３で接続しても良い。この場合、図７に示すように、機器接続ケーブル９３は、通気孔４１を通して配索することができる。図８に示す例では、外部と通信するための通信ユニット８１を筐体２の内部に備えており、この通信ユニット８１と外部機器９１とを接続する機器接続ケーブル９３を、通気孔４１を通して配索している。このようにすれば、電気機器収納用キャビネット１に加工を施さずに、機器接続ケーブル９３を配索することができる。なお、機器接続ケーブル９３を通した通気孔４１の隙間に防水部材を付した構成とすれば、雨水が機器接続ケーブル９３を伝って筐体２内に浸入することを防ぐことができる。防水部材については、様々なものを用いることができる。例えば、グロメットなどと呼ばれる管や、機器接続ケーブル９３を通す切れ込みなどを備えた防水シートや、目地材などを防水部材の具体例として挙げることができる。
【００１９】
ところで、支持部６０は、抜け落ち防止部５１と取付部６２で通気板４を挟むようにして取り付けなくても良い。例えば図９に示すことから理解されるように、取付部６２の上側に側面視略Ｌ字形状の固定片５５を設け、この固定片５５と対向する位置に、固定片５５との距離を可変とした側面視略Ｌ字形状の可動片５６を備えたものとすれば、固定片５５及び可動片５６を通気孔４１に通して引掛けた状態を維持することができる。この場合、固定片５５や可動片５６の水平方向に延びる部分が抜け落ち防止部５１であり、固定片５５や可動片５６の垂直方向に延びる部分が挿入部５２となる。なお、図９に示す例においては、ねじ９８を回すことで、可動片５６の位置を調整することができる。
【００２０】
また、搭載部６１は、垂直状に立ち上がる形態である必要は無い。例えば、図１０に示すことから理解されるように、水平に広がる形態としても良い。図１０に示す例では搭載部６１の上側に外部機器９１を配置しているが、搭載部６１の下側に外部機器９１を取り付けるようにしても良い。
【００２１】
以上、実施形態を例に挙げて本発明について説明してきたが、本発明は上記実施形態に限定されることはなく、各種の態様とすることが可能である。例えば、電気機器収納用キャビネットの背面側などに支持部品を取り付けても良い。
【符号の説明】
【００２２】
１  電気機器収納用キャビネット
２  筐体
３  屋根
４  通気板
６  支持部品
３１  庇部
４１  通気孔
５１  抜け落ち防止部
５２  挿入部
６０  支持部
６２  取付部
８１  通信ユニット
９１  外部機器
９３  機器接続ケーブル
【図１】
2019212853.tif 000003
【図２】
2019212853.tif 000004
【図３】
2019212853.tif 000005
【図４】
2019212853.tif 000006
【図５】
2019212853.tif 000007
【図６】
2019212853.tif 000008
【図７】
2019212853.tif 000009
【図８】
2019212853.tif 000010
【図９】
2019212853.tif 000011
【図１０】
2019212853.tif 000012